(57)【要約】      （修正有）【課題】照明器具保持具において、照明器具を容易に取付可能で、かつ汎用性が高く、さらには光の照射が妨げられるのを防止できるようにする。【解決手段】照明器具保持具１は、照明器具被取付部４に取り付けられる。照明器具保持具１は、照明器具被取付部４に取り付けられる基体１０を備える。基体１０は、照明器具２に設けられたマグネット２６が磁着可能な材料で形成され、マグネット２６が当接可能な磁着部１１を備え、磁着部にマグネット２６を磁着させることで照明器具２を保持する。【選択図】図８
0003210994.tif 000002
【実用新案登録請求の範囲】
【請求項１】
照明器具被取付部に取り付けられる照明器具保持具であって、
前記照明器具被取付部に取り付けられる基体を備え、
該基体が、照明器具に設けられたマグネットが磁着可能な材料で形成された該マグネットが当接可能な磁着部を備え、該磁着部に前記マグネットを磁着させることで前記照明器具を保持することを特徴とする照明器具保持具。
【請求項２】
前記照明器具被取付部が、横方向に延びる柱状部材であって、
前記基体が、前記柱状部材に係止可能なフックを備えている請求項１記載の照明器具保持具。
【請求項３】
前記基体が、前記照明器具被取付部に当接して該基体を前記照明器具被取付部に固定するねじ部材を備えている請求項１または２記載の照明器具保持具。
【請求項４】
照明器具被取付部に取り付けられる照明装置であって、
マグネットが設けられた照明器具と、
前記照明器具被取付部に取り付けられる照明器具保持具とを備え、
該照明器具保持具は、前記照明器具被取付部に取り付けられる基体を備え、該基体が前記マグネットが磁着可能な材料で形成された該マグネットが当接可能な磁着部を備え、該磁着部に前記マグネットを磁着させることで前記照明器具を保持することを特徴とする照明装置。
【考案の詳細な説明】
【技術分野】
【０００１】
本考案は、照明器具を保持する照明器具保持具に関し、特に、ラインパネル等の照明器具被取付具に取り付けられる照明器具保持具に関するものである。
【背景技術】
【０００２】
従来、商品の陳列棚や収納棚において、照明器具を設置して商品や展示品等を光で照らすことにより商品や展示品の見栄えを良くすることが行われている（特許文献１）。一方、商品を効果的に陳列するために、図９に示すような、横方向に延びる柱状部材４１を上下方向に一定間隔（例えば図１０のピッチＰ）で多数配置し、この柱状部材４１に各種陳列トレー５等を係止するようにしたラインパネル４が知られている。ラインパネル４は、図１０に示すように、パネル４ａと、このパネル４ａの表面から突出する接続部材４２と、この接続部材４２の先端に固定される柱状部材４１とから構成されており、パネル４ａと柱状部材４１との間に空間を有するように形成されている。すなわちパネル４ａ、柱状部材４１及び接続部材４２により接続部材４２の上下に溝が形成されており、上側の溝を構成する柱状部材４１の上端部４１ａに、陳列トレー５に設けられたフック５１を係止することにより、陳列トレー５をラインパネル４に取り付けている。
【先行技術文献】
【特許文献】
【０００３】
【特許文献１】特開２０１５−７１０２７号公報
【考案の概要】
【考案が解決しようとする課題】
【０００４】
一般的に、ラインパネル４等に係止される陳列トレー５の形状には様々なものがあり、陳列トレー５に陳列された商品や展示品等に光を照射するために、この陳列トレー５の上方に位置する陳列トレー５の下面に照明器具を設置するには、照明器具が設置される陳列トレー５の形状に合わせて照明器具の取付方法を変える必要があるため取付けが煩雑である。また照明器具の発光面を保持する保持具を用いて照明器具を設置する場合には、照明器具の外形状に合わせて保持具の形状を変える必要があり、様々な形状の照明器具に対応することが困難である。さらに上記保持具においては、照明器具からの光の照射が保持具によって妨げられてしまい効率的に商品や展示品等に光を照射できない場合がある。
【０００５】
本考案はかかる事情に鑑みてなされたものであり、照明器具を容易に取付可能で、かつ汎用性が高く、さらには光の照射が妨げられるのを防止することができる照明器具保持具を提供することを目的とするものである。
【課題を解決するための手段】
【０００６】
本考案の照明器具保持具は、照明器具被取付部に取り付けられる照明器具保持具であって、
照明器具被取付部に取り付けられる基体を備え、
基体が、照明器具に設けられたマグネットが磁着可能な材料で形成されたマグネットが当接可能な磁着部を備え、磁着部にマグネットを磁着させることで照明器具を保持することを特徴とするものである。
【０００７】
また本考案の照明器具保持具においては、照明器具被取付部が、横方向に延びる柱状部材であって、
基体が、柱状部材に係止可能なフックを備えていることが好ましい。
【０００８】
また本考案の照明器具保持具においては、基体が、照明器具被取付部に当接して基体を照明器具被取付部に固定するねじ部材を備えていることが好ましい。
【０００９】
本考案の照明装置は、照明器具被取付部に取り付けられる照明装置であって、
マグネットが設けられた照明器具と、
照明器具被取付部に取り付けられる照明器具保持具とを備え、
照明器具保持具は、照明器具被取付部に取り付けられる基体を備え、基体がマグネットが磁着可能な材料で形成されたマグネットが当接可能な磁着部を備え、磁着部にマグネットを磁着させることで照明器具を保持することを特徴とするものである。
【考案の効果】
【００１０】
本考案の照明器具保持具及び照明装置は、照明器具被取付部に取り付けられる基体を備え、基体が、照明器具に設けられたマグネットが磁着可能な材料で形成されたマグネットが当接可能な磁着部を備え、磁着部にマグネットを磁着させることで照明器具を保持するので、照明器具を磁着部に容易に取り付けることができる。また照明器具にマグネットが設けられてさえいれば照明器具を磁着部に取り付けることができるので、照明器具の形状が限定されず汎用性が高い。また照明器具はマグネットが取り付けられた取付面以外は、光の照射を妨げるものがないので、例えば照明器具の非発光面にマグネットを取り付けることにより光の照射が妨げられるのを防止することができる。
【図面の簡単な説明】
【００１１】
【図１】照明器具保持具の斜視図
【図２】ねじ部材を装着した照明器具保持具の斜視図
【図３】図１の照明器具保持具の側面図
【図４】照明器具の正面図
【図５】照明器具の背面図
【図６】図５のＶＩ−ＶＩ線断面図
【図７】ラインパネルに設置された陳列トレーと照明装置の斜視図
【図８】ラインパネルに設置された陳列トレーと照明装置の側面図
【図９】ラインパネルに設置された陳列トレーの斜視図
【図１０】ラインパネルに設置された陳列トレーの側面図
【考案を実施するための形態】
【００１２】
以下、図面を参照して本考案の実施の形態を説明する。図１は本考案にかかる一実施の形態の照明器具保持具１の斜視図、図２はねじ部材１３を装着した照明器具保持具１の斜視図、図３は図１の照明器具保持具１の側面図、図４は照明器具２の正面図、図５は照明器具２の背面図、図６は図５のＶＩ−ＶＩ線断面図である。なお図１〜図３において、フック１２が設けられている側を上側すなわち紙面上側を上側として以下説明する。
【００１３】
本実施形態の照明器具保持具１は、図１に示すように、後述するラインパネル４に取り付けられる基体１０を備えている。基体１０は、マグネットが磁着可能な材料で形成された四角形の板状部材である磁着部１１と、磁着部１１の両側の上端部に形成されてラインパネル４の柱状部材４１の上端部４１ａ（図１０参照）に係止可能なフック１２とを備えている。
【００１４】
ラインパネル４は、横方向に延びる柱状部材（照明器具被取付具）４１が上下方向に一定間隔で多数配置されたものであって、パネル４ａと、このパネル４ａの表面から突出する接続部材４２と、この接続部材４２の先端に固定される柱状部材４１とから構成されており、パネル４ａと柱状部材４１との間に空間を有するように形成されている。すなわちパネル４ａ、柱状部材４１及び接続部材４２により接続部材４２の上下に溝が形成されており、上側の溝を構成する柱状部材４１の上端部４１ａにフック１２を係止することにより、基体１０をラインパネル４に取り付けている（図７，図８参照）。
【００１５】
本実施形態の基体１０は、磁着部１１及びフック１２共に、クロムメッキ処理が施された厚さ１．２ｍｍの鋼板で形成されている。フック１２に挟まれた磁着部１１の上部にはネジ孔１１ａが設けられていて、このネジ孔１１ａには、図２に示すように、人の手で締め込み可能なローレットタイプのねじ部材１３が螺合される。照明器具保持具１をラインパネル４に取り付けるときに、ねじ部材１３をネジ孔１１ａに螺合してねじ部材１３の先端をラインパネル４の柱状部材４１の表面に当接させることにより、照明器具保持具１を柱状部材４１に固定する（図７，図８参照）。
【００１６】
なお本実施形態においてねじ部材１３はローレットタイプのものとしたが、本考案はこれに限られるものではなく、例えば工具によって締結されるねじ部材を使用してもよいし、ねじ部材の種類は特に限定されない。また本実施形態の磁着部１１はマグネットが磁着可能な材料である鋼板で形成されているが、本考案はこれに限られるものではなく、例えば磁着不可能な材質で形成された基体１０の表面に磁着可能な材質で形成されたシート状の磁着部を貼合してもよいし、磁着可能であればどのような構成であってもよい。また材料についても磁着可能な材料であれば特に限定されるものではない。
【００１７】
フック１２は、図１に示すように、磁着部１１の両側の上端部が後側に向って折り曲げられることにより形成されている。本実施形態のフック１２は、図３に示すように、フック１２の上端から磁着部１１の下端までの高さＨ１が２８．５ｍｍ、フック１２の上端からフック１２の下端までの高さＨ２が５．８ｍｍとなるように形成されており、フック１２をラインパネル４の柱状部材４１の上端部４１ａに係止し、かつねじ部材１３によって基体１０と柱状部材４１とを固定することにより、照明器具保持具１がラインパネル４に取り付けられる。
【００１８】
一般的にラインパネル４は柱状部材４１の形状や幅、溝の形状などが多種多様である。本実施形態のように高さＨ２を比較的浅く形成して、ねじ部材１３を使用して柱状部材４１に照明器具保持具１を固定することにより、例えば柱状部材４１の上端部４１ａの後側の溝が浅いラインパネル４にも照明器具保持具１をしっかりと固定することができるので、照明器具保持具１の汎用性を高くすることができる。
【００１９】
次に照明器具保持具１に保持される照明器具２について説明する。図４は本実施形態の照明器具２の正面図、図５は図４の照明器具２の背面図、図６は図５のＶＩ−ＶＩ線断面図である。なお本実施形態においてマグネット２６が設けられる面を照明器具２の背面として以下説明する。
【００２０】
本実施形態の照明器具２は、図４〜図６に示すように、ＬＥＤ素子２０ａが列設された長尺状のＬＥＤ基板部２０と、透光性を有し、透明又は半透明のプラスチック製の細長い筒状に形成された透光部２１ａを備え、ＬＥＤ基板部２０を収容し背面に平坦部２１ｂを有する透光カバー２１と、透光カバー２１の両端にそれぞれ設けられた口金部２２とを備えている。一方の口金部２２からは、透光カバー２１の内部に設けられたＬＥＤ基板部２０に接続された電線２３が延出し、電線２３の先端にはＬＥＤ基板部２０と例えばラインパネル４に設置される電源ユニット（図示せず）内の各種回路とを電気的に接続するためのコネクタ２４が取り付けられている。
【００２１】
透光カバー２１の平坦部２１ｂは、図５に示すように、長手方向に沿って中央に開口２５が設けられており、この開口２５には、図６に示すように、マグネット２６が嵌合されている。マグネット２６の表面は、平坦部２１ｂの表面と略一致するように、透光カバー２１の長手方向に所定間隔を空けて３個取り付けられる。なお本実施形態においてはマグネットを３個取り付けたが、本考案はこれに限られるものではなく、２個であってもよいし、照明器具２の重さやマグネットの磁着力、上記照明器具保持具１の個数等によって適宜変更可能である。また本実施形態においては、透光カバー２１が平坦部２１ａを有するものとしたが、本考案はこれに限られるものではなく、平坦部２１ａを有さないものであってもよい。この場合、曲面に沿ってマグネット２６を貼着し、磁着部１１に曲面を設ける。また本実施形態においては、マグネット２６の表面と平坦部２１ｂの表面が同一平面上に位置するように取り付けられているが、本考案はこれに限られるものではない。また本実施形態においては、マグネット２６が開口２５に嵌合するように取り付けられているが、本考案はこれに限られるものではなく、例えば開口２５を有さない場合には、平坦部２１ｂの表面にマグネット２６を貼着してもよい。
【００２２】
次に上記のように構成された照明器具２をラインパネル４に取り付ける方法について説明する。図７はラインパネル４に設置された陳列トレー５と照明装置３の斜視図、図８はラインパネル４に設置された陳列トレー５と照明装置３の側面図である。なお本実施形態の照明装置３は、３つの照明器具保持具１と１つの照明器具２とで構成される。
【００２３】
本実施形態の照明器具保持具１は、予め照明器具２に設けられたマグネット２６に対応する間隔で、図７，図８に示すように、ラインパネル４の柱状部材４１の上端部４１ａに係止され、かつねじ部材１３によって柱状部材４１に固定されることによりラインパネル４に取り付けられる。
【００２４】
ラインパネル４に取り付けられた３つの照明器具保持具１の磁着部１１に照明器具２のマグネット２６を磁着させることにより、照明装置３がラインパネル４に取り付けられる。本実施形態の照明器具保持具１は、基体１０が、照明器具２に設けられたマグネット２６が磁着可能な材料で形成され、マグネット２６が当接可能な磁着部１１を備え、磁着部１１にマグネット２６を磁着させることで照明器具２を保持するように構成されているので、図７，図８に示すように陳列トレー５が設置された状態のラインパネル４であっても、ラインパネル４の正面側から照明器具２を容易に着脱することができる。また、マグネット２６が照明器具２の背面すなわち非発光面に設けられているので、照明器具２が照射する光を妨げることなく陳列トレー５に陳列された商品を陳列トレー５の後方側から効率良く照射することができる。また照明器具２にマグネット２６が設けられてさえいれば照明器具２を磁着部１１に取り付けることができるので、照明器具２の形状が限定されず汎用性が高い。また照明装置３は、陳列トレー５の形状が例えば下方向に大きく突出したものに変更された場合であっても、照明器具保持具１のフック１２を下方に位置する柱状部材４１に係止し直すだけでよいので、陳列トレー５の形状がどのようなものであっても対応することでき、汎用性に優れている。
【００２５】
本考案の照明器具保持具及び照明装置は、上記実施形態に限られるものではなく、考案の趣旨を逸脱しない限りにおいて適宜変更することができる。
【符号の説明】
【００２６】
１        ：照明器具保持具
１０      ：基体
１１      ：磁着部
１１ａ    ：ネジ孔
１２      ：フック
１３      ：ねじ部材
２        ：照明器具
２６      ：マグネット
３        ：照明装置
４        ：ラインパネル
４１      ：柱状部材
４１ａ    ：上端部
５        ：陳列トレー
５１      ：フック
【図１】
0003210994.tif 000003
【図２】
0003210994.tif 000004
【図３】
0003210994.tif 000005
【図４】
0003210994.tif 000006
【図５】
0003210994.tif 000007
【図６】
0003210994.tif 000008
【図７】
0003210994.tif 000009
【図８】
0003210994.tif 000010
【図９】
0003210994.tif 000011
【図１０】
0003210994.tif 000012